(57)【要約】【課題】電子部品や機械部品を個包装することができ、小売店でバラ売りするような部品に使用することもできる部品包装容器を提供する。【解決手段】電子部品３０又は機械部品を収納する収容部１２を凹設した本体１１と、前記本体１１に貼り付けられて前記収容部１２を覆うカバーテープ２０と、を備える。前記本体１１に所定間隔で複数の収容部１２を設けるとともに、前記複数の収容部１２の間に脆弱な折り取り部１３を設け、前記折り取り部１３で前記部品包装容器１０を折り曲げることで前記収容部１２を切り離し可能とした。【選択図】図１
2017001727.tif 000002
【特許請求の範囲】
【請求項１】
電子部品又は機械部品を収納する収容部を凹設した本体と、
前記本体に貼り付けられて前記収容部を覆うカバーテープと、
を備えた部品包装容器であって、
前記本体に所定間隔で複数の前記収容部を設けるとともに、前記複数の収容部の間に脆弱な折り取り部を設け、前記折り取り部で前記部品包装容器を折り曲げることで前記収容部を切り離し可能としたことを特徴とする、部品包装容器。
【請求項２】
前記カバーテープに、剥離用に前記本体の側部からはみ出させたはみ出し部を設けたことを特徴とする、請求項１記載の部品包装容器。
【請求項３】
前記本体には、前記収容部の連設方向に沿って少なくとも片側に複数の送り孔が所定間隔で設けられていることを特徴とする、請求項１又は２記載の部品包装容器。
【請求項４】
前記カバーテープは、前記収容部の連設方向に沿って両側に直線状に設けられた溶着部において、前記本体に溶着されていることを特徴とする、請求項１〜３のいずれか１項に記載の部品包装容器。
【発明の詳細な説明】
【技術分野】
【０００１】
この発明は、電子部品又は機械部品を包装することができる部品包装容器に関する。
【背景技術】
【０００２】
この種の電子部品の包装容器として、例えば特許文献１には、電子部品を収納する包装部材と、この包装部材に収納された電子部品の飛び出しを防止するために包装部材の上面に貼り付けられたトップテープとからなる電子部品の包装容器が開示されている。こうした包装容器に包装された電子部品は、例えば工場などで開封されて基板などに実装される。
【先行技術文献】
【特許文献】
【０００３】
【特許文献１】特開平１０−６６６０３号公報
【発明の概要】
【発明が解決しようとする課題】
【０００４】
上記した従来の包装容器は、工場などで大量に使用する電子部品を包装するものであったため、個別に開封することを考慮したものではなかった。このため、上記した従来の包装容器は、例えば小売店でバラ売りするような部品に使用するに適していなかった。
【０００５】
本発明者は、上記したような従来の包装容器を、バラ売りが想定されるような部品の包装容器に応用できないかを検討した。上記したような従来の包装容器をバラ売り部品の包装に応用できれば、部品を個包装できるので輸送の際に傷が付きにくいなどの効果を得ることができる。
【０００６】
そこで、本発明は、電子部品や機械部品を個包装することができ、小売店でバラ売りするような部品に使用することもできる部品包装容器を提供することを課題とする。
【課題を解決するための手段】
【０００７】
本発明は、上記した課題を解決するためになされたものであり、以下を特徴とする。
【０００８】
請求項１記載の発明は、電子部品又は機械部品を収納する収容部を凹設した本体と、前記本体に貼り付けられて前記収容部を覆うカバーテープと、を備えた部品包装容器であって、前記本体に所定間隔で複数の前記収容部を設けるとともに、前記複数の収容部の間に脆弱な折り取り部を設け、前記折り取り部で前記部品包装容器を折り曲げることで前記収容部を切り離し可能としたことを特徴とする。
【０００９】
請求項２に記載の発明は、上記した請求項１に記載の発明の特徴点に加え、前記カバーテープに、剥離用に前記本体の側部からはみ出させたはみ出し部を設けたことを特徴とする。
【００１０】
請求項３に記載の発明は、上記した請求項１又は２に記載の発明の特徴点に加え、前記本体には、前記収容部の連設方向に沿って少なくとも片側に複数の送り孔が所定間隔で設けられていることを特徴とする。
【００１１】
請求項４に記載の発明は、上記した請求項１〜３のいずれかに記載の発明の特徴点に加え、前記カバーテープは、前記収容部の連設方向に沿って両側に直線状に設けられた溶着部において、前記本体に溶着されていることを特徴とする。
【発明の効果】
【００１２】
請求項１に記載の発明は上記の通りであり、前記本体に所定間隔で複数の前記収容部を設けるとともに、前記複数の収容部の間に脆弱な折り取り部を設け、前記折り取り部で前記部品包装容器を折り曲げることで前記収容部を切り離し可能とした。このような構成によれば、収容部に部品を個包装することができるとともに、折り取り部で収容部を切り離せば、小売店で部品をバラ売りすることもできる。このように収容部に部品を個包装することができるので、輸送中に部品同士が衝突して傷が付いたり、輸送中に部品が動くことで雌雄一組の部品のネジが外れてしまったり、といった問題が生じない。また、収容部を切り離すだけでバラ売りができるので、部品を取り出して一つずつ袋に入れたりする必要もなく、手間をかけずにバラ売りすることができる。
【００１３】
また、請求項２に記載の発明は上記の通りであり、前記カバーテープに、剥離用に前記本体の側部からはみ出させたはみ出し部を設けた。このような構成によれば、はみ出し部を持ってめくればカバーテープを容易にはがすことができるので、収容部から容易に部品を取り出すことができる。
【００１４】
また、請求項３に記載の発明は上記の通りであり、前記本体には、前記収容部の連設方向に沿って少なくとも片側に複数の送り孔が所定間隔で設けられている。このような構成によれば、部品の包装作業を容易に機械化・自動化することができる。すなわち、送り孔を使用して機械で本体を送ることができるので、機械による流れ作業によって部品を包装することができる。
【００１５】
また、請求項４に記載の発明は上記の通りであり、前記カバーテープは、前記収容部の連設方向に沿って両側に直線状に設けられた溶着部において、前記本体に溶着されている。このような構成によれば、長手方向に溶着するだけで部品を包装でき、言い換えると短手方向に溶着する必要がないので、溶着作業が少なくても済む。また、機械による流れ作業によって部品を包装する場合には、流れ方向に沿って溶着すればよいので、機械が複雑化せず、コストを下げることができる。
【図面の簡単な説明】
【００１６】
【図１】部品包装容器の平面図である。
【図２】本体とカバーテープの平面図である。
【図３】（ａ）切り離した状態の部品包装容器の平面図、（ｂ）部品包装容器の正面図、（ｃ）Ａ−Ａ線断面図である。
【発明を実施するための形態】
【００１７】
本発明の実施形態について、図を参照しながら説明する。
【００１８】
本実施形態に係る部品包装容器１０は、電子部品３０や機械部品を包装するためのものであり、図１に示すように、本体１１と、カバーテープ２０と、を備える。
【００１９】
本体１１は、図１に示すような樹脂製の長尺部材である。この本体１１には、長手方向に所定間隔で複数の収容部１２が設けられている。この収容部１２は、電子部品３０などの部品を収納するためのものであり、本体１１の表面に凹設されている。収容部１２は、収容部１２に収容する部品の大きさに合わせた形状及び大きさで形成されている。このため、部品を収容部１２内に配置したときに、収容部１２の中で部品がほとんど動かないように保持される。
【００２０】
本実施形態に係る部品包装容器１０は、形状の異なる複数種類の収容部１２を備えている。具体的には、第１収容部１２ａと第２収容部１２ｂとの２種類の収容部１２を備えている。この２種類の収容部１２は、短手方向に並べて配設されており、２つの収容部１２で１セットとなっている。そして、この１セットの収容部１２が、長手方向に所定間隔で複数設けられている。この１セットの収容部１２には、セットで使用される部品（またはセットで販売される部品）が収容されている。なお、本実施形態においては２つの収容部１２で１セットとしたが、これに限らず、１つの収容部１２のみで１セットとしてもよいし、３つ以上の収容部１２を１セットとしてもよい。
【００２１】
上記した１セットの収容部１２の間には、図１に示すように、脆弱な折り取り部１３が設けられている。本実施形態においては、本体１１にミシン目を入れることで折り取り部１３を形成している。なお、折り取り部１３の形態としては、ミシン目に限らず、例えば薄肉にすることで折り取り部１３を形成してもよい。この折り取り部１３は１セットの収容部１２を切り離し可能とするためのものであり、折り取り部１３で部品包装容器１０を折り曲げることで切り離しができるようになっている。
【００２２】
また、本体１１の両側の側部１１ａ、１１ｂ付近には、複数の送り孔１４が所定間隔で貫通形成されている。この送り孔１４は、本体１１の長手方向、すなわち、１セットの収容部１２が連設される方向に沿って設けられている。この送り孔１４は、本体１１を機械送りするための係合部である。具体的には、部品を包装するときに、この送り孔１４にギアを係合させて回転させることにより、本体１１をラインに沿って輸送する。このように輸送した本体１１の収容部１２に部品を順番に収容していき、カバーテープ２０で収容部１２を覆うことで、機械による流れ作業によって部品を包装する。
【００２３】
カバーテープ２０は、本体１１に貼り付けられて収容部１２を覆うための樹脂製のフィルムである。このカバーテープ２０は、図１に示すように、本体１１に対してずらして貼り付けられる。具体的には、図３等に示すように、本体１１の一方の側部１１ａのよりも内側に一方の端縁２０ａがくるようになっており、かつ、本体１１の他方の側部１１ｂのよりも外側に他方の端縁２０ｂがくるようになっている。他方の端縁２０ｂは本体１１の側部１１ｂからはみ出しており、このはみ出した端縁２０ｂがカバーテープ２０を剥離するためのはみ出し部２１を構成している。
【００２４】
このカバーテープ２０は、収容部１２の両側に設けられた溶着部２２、２３において、本体１１に溶着されている。この溶着部２２、２３は、本体１１の長手方向、すなわち、１セットの収容部１２が連設される方向に沿って直線状に設けられている。溶着部２２、２３は収容部１２の両側に平行に設けられており、これにより収容部１２の両側でカバーテープ２０を固定し、収容部１２内に収容した部品が外に出ないようにしている。
【００２５】
このカバーテープ２０は、本体１１の長手方向に延在する溶着部２２、２３のみで本体１１に溶着されている。言い換えると、この溶着部２２、２３に直交する方向（本体１１の短手方向、すなわち図１における左右方向）には溶着されていない。このため、折り取り部１３で部品包装容器１０を切り離したときには、この折り取り部１３付近が溶着されておらず、収容部１２が密閉されていない状態である。しかしながら、本実施形態に係る部品包装容器１０は電子部品３０や機械部品を収納するためのものであるため、収容部１２を密閉する必要はない。むしろ、溶着箇所を減らすことで、製造コストが減少し、カバーテープ２０のはがしやすさが向上するというメリットがある。
【００２６】
なお、本実施形態においては、カバーテープ２０にもミシン目が設けられている。このミシン目は本体１１のミシン目に沿って設けられている。カバーテープ２０にミシン目を設けることで、本体１１を折り取り部１３で折り曲げたときに、この折り取り部１３に沿ってカバーテープ２０も一緒に切り離しやすくなっている。
【００２７】
上記した部品包装容器１０で部品を包装する場合には、図２に示すように、収容部１２に部品を配置し、収容部１２を覆うようにカバーテープ２０を配置する。その後、収容部１２の両側を溶着させることにより本体１１にカバーテープ２０を貼り付ける。最後にミシン目を入れることで折り取り部１３を形成する。
このように部品を包装した部品包装容器１０は、図３に示すように、折り取り部１３で折り曲げることで１セットごとに切り離すことができる。
【００２８】
例えば、小売店まで輸送するときや小売店で保管するときには、本体１１をリール状に巻回した状態で箱に収納しておけばよい。このように長尺の本体１１をまとめて管理することで部品の取扱いや在庫管理が容易となる。また、部品をバラ売りしたい場合には、折り取り部１３で切り離してお客様に渡せばよい。部品包装容器１０ごとお客様に渡せば、部品がばらばらにならないように袋に入れたり、傷付かないように緩衝材で包んだりといった作業も必要ないので、スムーズに販売することができる。
【００２９】
また、このようにバラ売りされた部品を部品包装容器１０から取り出すときには、はみ出し部２１を持つことでカバーテープ２０を容易に剥離することができる。すなわち、図３等に示すように、本体１１の側部１１ｂからはみ出したはみ出し部２１を持って上に引き上げれば、溶着部２２、２３の接着がはがれてカバーテープ２０を取り除くことができる。カバーテープ２０を取り除くことで、収容部１２が露出し、部品を取り出すことができる。
【００３０】
なお、上記した実施形態においては、電子部品３０を収容部１２に収容することとしたが、これに限らず、例えばネジなどの機械部品を収容部１２に収容してもよい。
【００３１】
以上説明したように、本実施形態によれば、本体１１に所定間隔で複数の収容部１２を設けるとともに、前記複数の収容部１２の間に脆弱な折り取り部１３を設け、前記折り取り部１３で前記部品包装容器１０を折り曲げることで前記収容部１２を切り離し可能とした。このような構成によれば、収容部１２に部品を個包装することができるとともに、折り取り部１３で収容部１２を切り離せば、小売店で部品をバラ売りすることもできる。このように収容部１２に部品を個包装することができるので、輸送中に部品同士が衝突して傷が付いたり、輸送中に部品が動くことで雌雄一組の部品のネジが外れてしまったり、といった問題が生じない。また、収容部１２を切り離すだけでバラ売りができるので、部品を取り出して一つずつ袋に入れたりする必要もなく、手間をかけずにバラ売りすることができる。
【００３２】
また、前記カバーテープ２０に、剥離用に前記本体１１の側部１１ｂからはみ出させたはみ出し部２１を設けた。このような構成によれば、はみ出し部２１を持ってめくればカバーテープ２０を容易にはがすことができるので、収容部１２から容易に部品を取り出すことができる。
【００３３】
また、前記本体１１には、前記収容部１２の連設方向に沿って両側に複数の送り孔１４が所定間隔で設けられている。このような構成によれば、部品の包装作業を容易に機械化・自動化することができる。すなわち、送り孔１４を使用して機械で本体１１を送ることができるので、機械による流れ作業によって部品を包装することができる。
【００３４】
なお、上記した実施形態においては、本体１１の両側に複数の送り孔１４を設けているが、本発明の実施形態としてはこれに限らず、少なくとも片側に複数の送り孔１４が設けられていればよい。片側にだけ送り孔１４を設けた場合でも、この送り孔１４を使用して機械送りを行うことができる。
【００３５】
また、前記カバーテープ２０は、前記収容部１２の連設方向に沿って両側に直線状に設けられた溶着部２２、２３において、前記本体１１に溶着されている。このような構成によれば、長手方向に溶着するだけで部品を包装でき、言い換えると短手方向に溶着する必要がないので、溶着作業が少なくても済む。また、機械による流れ作業によって部品を包装する場合には、流れ方向に沿って溶着すればよいので、機械が複雑化せず、コストを下げることができる。
【符号の説明】
【００３６】
１０  部品包装容器
１１  本体
１１ａ、１１ｂ  側部
１２  収容部
１２ａ  第１収容部
１２ｂ  第２収容部
１３  折り取り部
１４  送り孔
２０  カバーテープ
２０ａ、２０ｂ  端縁
２１  はみ出し部
２２、２３  溶着部
３０  電子部品
【図１】
2017001727.tif 000003
【図２】
2017001727.tif 000004
【図３】
2017001727.tif 000005